(57)【要約】【目的】犬や猫などのペットの体温測定に際し、専門知識や専門用具を必要とすることなく、飼い主がペットの体温を手早く、簡単に測定できると共に、ペットを傷つけることもない安全なペット用体温計を提供することにある。【構成】特定温度であることを色の変化で示す薄板状の示温材からなる温感部に押え部を設けたことを特徴とする。【選択図】　図１
2004061474.tif 000002
【特許請求の範囲】
【請求項１】
特定温度であることを色の変化で示す薄板状の示温材からなる温感部の少なくとも片側に、ペットに密着させるために測定者が指で押えることができる押え部を設けたことを特徴とするペット用体温計。
【請求項２】
前記押え部が測定者の指に着脱可能になることを特徴とする請求項１に記載のペット用体温計。
【発明の詳細な説明】
【０００１】
【産業上の利用分野】
この発明は犬やネコなど家庭で飼うペットの体温を簡易的に測定することができる体温計に関する。
【０００２】
【従来の技術】
従来、動物の体温を測定する方法としては、体温計をペットの肛門に所定時間挿入して直腸温を計測する方法が一般的に広く知られている。
【０００３】
【発明が解決しようとする課題】
しかし、専門知識を持たないペットの飼い主が専門用具もない家庭において、直腸温の測定を実行することは非常に困難であった。
すなわち、直腸温の測定に際して、ペットが暴れたり、逃げたり、また、それらの行為を飼い主が強制的に抑制しようとすることでペットが傷つき、更には体温計が破損して、大きなケガになる可能性があるので、ほとんどの飼い主は測定したことがないのが実状である。
また、人体用に使用される一般的な体温計をペットの足の付け根などあてがって測定することも考慮できるが上記と同様に非常に困難で危険であった。
【０００４】
【課題を解決するための手段】
この発明は上記従来の課題に鑑みなされたもので、その目的は、犬や猫などのペットの体温測定に際し、専門知識や専門用具を必要とすることなく、飼い主がペットの体温を手早く、簡単に測定できると共に、ペットを傷つけることもない安全なペット用体温計を提供することにある。
【０００５】
その手段として、本発明の請求項１は、特定温度であることを色の変化で示す薄板状の示温材からなる温感部の少なくとも片側に、ペットに密着させるために測定者が指で押えることができる押え部を設けたことを特徴とする。
本発明の請求項２は、前記押え部が測定者の指に着脱可能になることを特徴とする。
【０００６】
本発明の請求項１は、ペットの体温を測る温感部が薄板状の示温材からなるため、適度な可撓性を有し、また、温感部の少なくとも片側に測定者が指で押えることができる押え部を設けたことで、ペットの体に沿って適度の圧力で押え、密着して測定することができると共に、測定時にペットが動いても傷つける心配がない。
また、温感部は特定温度であることを色の変化で示す示温材からなるので、飼い主は目視により容易にペットの体温を知ることができる。
【０００７】
本発明の請求項２は押え部が測定者の指に着脱可能になることで、取り扱いが容易になり、手早く測定ができる。
【０００８】
【発明の実施の形態】
本発明の実施例を、図面を用いて詳細に説明する。
図１は本発明の第１実施例を示す斜視図、図２はその側面図である。
１は温感部で樹脂製の薄板状の示温材からなる。
一般的に示温材とは、特定温度により変色する特殊インクを、紙や樹脂製の薄板材などに塗布や印刷等したもので、対象物の温度変化を特殊インクの変色により表示するものであり、一度変色すると元の色に戻らない不可逆性のものと、一度変色しても元の色に戻る可逆性のものとに大別することができる。
温感部１には、表示部２として特定温度により変色する特殊インクにより数字「３７　３８　３９」を設け、測定した体温と表示部の数字が一致するように設定する。
表示部２のインク色は、当初は温感部１の背景色と同じ色にして、特定温度、例えば、体温が３８度になれば「３８」の文字が変色して、背景から浮かび上がるように表示することも、あるいは、当初より背景色と相違させて「３７　３８３９」の文字を表示しておき、特定温度になれば、別の色に変色し表示させることもできる。
また、数字「３７　３８　３９」自体は一般的なインクを用いて表示し、その近傍に、且つ、その数字と対応していると使用者が一目して理解できるように、前記特殊インキで「○」や「◇」等の模様を表示し、その変色により体温を表示することもできる。
さらに、この実施例では体温を示す表示部２の数字を「３７　３８　３９」としたが、特にこれに限定することなく、表示範囲を広くしても狭くしてもよい。温感部１に可逆性示温材を用いれば、複数回使用できる転用品となり、不可逆性示温材を用いれば、一回使用の限定品となるので、その性能を特に限定することなく、目的により所望のタイプを選択することもできる。
【０００９】
３は押え部であり、薄板状の温感部１の両外側に温感部１の幅より大きく、かつ一体的に形成する。
しかし、押え部３の幅は限定することなく、例えば、温感部１と同じ幅にして全体を矩形状に形成してもよい。
すなわち、指で押えることができればその役割を達成することができる。
また、押え部３の肉厚を温感部１の肉厚より厚く形成して、適当な硬度を持たせ、測定者が取り扱い易くすることや、押え部３を温感部１より適宜角度を有して外方に突出させ、例えば、９０度折り曲げて、全体をＬ形にして上記と同様の効果を得ること（図示省略）も、本発明より容易に推考することができる。
更に、図１３に示すように温感部１の長手方向の一側面から外側に突出することもできる。
【００１０】
図３は本発明の第２実施例を示す斜視図であり、図４はその側面図である。
１０の温感部、１２の表示部は上記第１実施例と同様のものである
１３は押え部であり、温感部１０の両端に測定者の指が挿入できる程度の大きさの内径にした筒状片１４を形成する。
筒状片１４の形成の方法としては、まず、薄板状の温感部１０の両端をそれぞれ内側に向かって円弧状に折り曲げることで一体的に形成し、端部は接着剤などで接合して筒状片とする方法、あるいは、図５に示すように端部はそのままの状態にしておく方法がある。
更に、筒状の別部品を温感部の両端に接着して形成する方法も本発明より容易に推考することができる。
また、図６に示すように、筒状片１４を温感部１０の片側にのみ設け、もう一方は第１実施例のように平面状に形成してもよい。
【００１１】
図７は本発明の第３実施例を示す斜視図、図８はその側面図である。
２０の温感部、２２の表示部は上記第１実施例と同様のものである
２３は押え部であり、開口部より底部がやや広い略Ｕ型に薄板を一体的に折り曲げて嵌着片２４を形成して、温感部２０の両端に設ける。
嵌着片２４の上端は測定者の指が入れやすいようにガイド片２５を設ける。
また、図９に示すように、嵌着片２４を温感部２０の片側にのみ設け、もう一方は第１実施例のように平面状に形成してもよい。
【００１２】
本発明の第１実施例の使用方法を説明する。
図１０は本発明の第１実施例の使用状態図である。
測定者は、ペットをひざの上で抱くようにしてリラックスさせた状態で、ペットのおなか付近に温感部１が密着するように、温感部１の両端に設けた押え部３を中指Ａと人差し指Ｂでそれぞれ押えておき、適宜時間の経過後、温感部１の表示部２の色が変わり、体温が表示されることで体温測定することができる。
【００１３】
本発明の第２実施例の使用方法を説明する。
図１１は本発明の第２実施例の使用状態図であり、測定者の中指Ａと人差し指Ｂを温感部１０の両端に設けた押え部１３の筒状片１４，１４にそれぞれ挿入した後、ペットをひざの上で抱くようにしてリラックスさせた状態で、ペットのおなか付近に温感部１０が密着するように押えておき、適宜時間の経過後、温感部１の表示部２の色が変わり、体温が表示されることで体温測定することができる。
【００１４】
本発明の第３実施例の使用方法を説明する。
図１２は本発明の第３実施例の使用状態図であり、測定者の中指Ａと人差し指Ｂを温感部２０の両端に設けた押え部１３の嵌着片１４，１４にそれぞれ嵌着した後、ペットをひざの上で抱くようにしてリラックスさせた状態で、ペットのおなか付近に温感部１０が密着するように押えておき、適宜時間の経過後、温感部１の表示部２の色が変わり、体温が表示されることで体温測定することができる。
【００１５】
【発明の効果】
以上詳細に説明したように、本発明の請求項１は、ペットの体温を測る温感部が薄板状の示温材からなるため、適度な可撓性を有し、また、温感部の少なくとも片側に測定者が指で押えることができる押え部を設けたことで、ペットの体に沿って適度の圧力で押え、密着して測定することができると共に、測定時にペットが動いても傷つける心配がない。
また、温感部は特定温度であることを色の変化で示す示温材からなるので、飼い主は目視により容易にペットの体温を知ることができる。
更に、押え部が測定者の指に着脱可能になることで、取り扱いが容易になり、手早く測定ができる
すなわち、家庭において、飼い主がペットの体温を手早く、簡単に測定できるので、ペットの健康管理の一環として非常に有益になると共に、体温測定の際にペットを傷つけることもない安全性の高いペット用体温計を得ることができる。
【図面の簡単な説明】
【図１】本発明の第１実施例を示す斜視図
【図２】本発明の第１実施例を示す側面図
【図３】本発明の第２実施例を示す斜視図
【図４】本発明の第２実施例を示す側面図
【図５】本発明の第２実施例における押え部の別の形態を示す斜視図
【図６】本発明の第２実施例における押え部の別の形態を示す斜視図
【図７】本発明の第３実施例を示す斜視図
【図８】本発明の第３実施例を示す平面図
【図９】本発明の第３実施例における押え部の別の形態を示す斜視図
【図１０】本発明の第１実施例の使用状態図
【図１１】本発明の第２実施例の使用状態図
【図１２】本発明の第３実施例の使用状態図
【図１３】本発明の第４実施例を示す斜視図
【符号の説明】
１、１０、２０　　温感部
２、１２、２２　　表示部
３、１３、２３　　押え部
４　　　　　　　　平板
１４　　　　　　　筒状片
２４　　　　　　　嵌着片
２５　　　　　　　ガイド片
Ａ　　　　　　　　中指
Ｂ　　　　　　　　人指し指
【図１】
2004061474.tif 000003
【図２】
2004061474.tif 000004
【図３】
2004061474.tif 000005
【図４】
2004061474.tif 000006
【図５】
2004061474.tif 000007
【図６】
2004061474.tif 000008
【図７】
2004061474.tif 000009
【図８】
2004061474.tif 000010
【図９】
2004061474.tif 000011
【図１０】
2004061474.tif 000012
【図１１】
2004061474.tif 000013
【図１２】
2004061474.tif 000014
【図１３】
2004061474.tif 000015